(57)【要約】【課題】人体の内臓や体内の水分等を消磁し、基礎代謝及び免疫力の向上を図る。【解決手段】本発明に係る磁場振動発生装置１０は、直流電源により磁場を発生する磁場発生手段１２と、磁場発生手段１２への電源電圧に可聴域周波数を混入する周波数混入手段１３と、を備え、磁場発生手段１２が発生する磁場を周波数混入手段１３が混入する可聴域周波数で振動させるように構成されていることを特徴とし、磁場発生手段１２は、ゲルマヒーターであってもよい。【選択図】図１
2009142514.tif 000002
【特許請求の範囲】
【請求項１】
直流電源により磁場を発生する磁場発生手段と、
該磁場発生手段への電源電圧に可聴域周波数を混入する周波数混入手段と、
を備え、前記磁場発生手段が発生する磁場を前記周波数混入手段が混入する可聴域周波数で振動させるように構成されていることを特徴とする磁場振動発生装置。
【請求項２】
前記磁場発生手段は、ゲルマヒーターである請求項１に記載の磁場振動発生装置。
【発明の詳細な説明】
【技術分野】
【０００１】
本発明は、磁場を特定周波数で振動させる磁場振動発生装置に関する。
【背景技術】
【０００２】
従来、発熱体に通電することにより発生した遠赤外線の放射熱を人体の患部に照射させたり、波動を使用したりして治療を行う医療機器や健康器具が開発され、市販されている（公知・公用の従来技術に基づき発明したため、出願人は本発明に関連する先行技術文献を知らない）。
【発明の開示】
【発明が解決しようとする課題】
【０００３】
しかしながら、上記した従来の医療機器や健康器具は、一般に交流電源を使用しているため、人体に有害なレベルの電磁波を発生するおそれがあった。
【０００４】
このことは、高圧送電線下の居住者に白血病の発症率が高いことが医学会で報告されていたり、或いは、本来磁性を有さない水が電磁波の影響を受けて自然界に存在する塊り（クラスター）以上の大きさになり、酸化還元電位（ＯＲＰ：Oxidation-Reduction Potential）で栄養素の取得や排泄を行う人体本来の要求が困難となり、病気になりやすくなることがフリーラジカル学会等で報告されていたりすることからも裏付けられる。
【０００５】
また、近年、人体の抗酸化によるアンチエイジングを目的としたビタミン剤やサプリメント等の摂取が流行しているが、適正な酸化、還元状態が体内において適正に分布されていない場合には、消化管からの栄養補給（消化吸収）が行われないため、あまり効果は期待できない。
【０００６】
さらに、直流電源で動作するゲルマヒーター等の高効率の発熱体を使用し、通常のフレミングの法則に従って磁場を発生させることも考えられるが、単に磁場を発生させるだけでは、人体内部に発生した磁場を消去することはできない。
【０００７】
本発明は、上記した課題を解決すべく成されたものであり、人体の内臓や体内の水分等を消磁し、基礎代謝及び免疫力の向上を図ることのできる磁場振動発生装置を提供しようとするものである。
【課題を解決するための手段】
【０００８】
本発明に係る磁場振動発生装置は、直流電源により磁場を発生する磁場発生手段と、該磁場発生手段への電源電圧に可聴域周波数を混入する周波数混入手段と、を備え、前記磁場発生手段が発生する磁場を前記周波数混入手段が混入する可聴域周波数で振動させるように構成されていることを特徴とする。
【０００９】
そして、前記磁場発生手段は、ゲルマヒーターであってもよい。
【発明の効果】
【００１０】
本発明によれば、直流電源を使用しているため、人体に有害なレベルの電磁波を発生することがなく、また、人体の内臓や体内の水分等、人体内部に発生した磁場を消去することができ、基礎代謝及び免疫力の向上を図ることができる。
【発明を実施するための最良の形態】
【００１１】
以下、図面を参照しつつ、本発明の実施の形態について説明する。
【００１２】
図１は本発明の実施の形態に係る磁場振動発生装置の概略構成を示す模式図であり、この磁場振動発生装置１０は、直流電源である電源ユニット１１と、電源ユニット１１から供給された直流電圧により磁場を発生する磁場発生手段である発熱体１２と、発熱体１２を制御する本体コントローラ１３とを備えて構成されている。
【００１３】
電源ユニット１１は、入力電源電圧がＡＣ（Alternating Current；交流）１００Ｖ〜２４０Ｖ、出力電源電圧がＤＣ（Direct Current；直流）１２Ｖ（２４Ｖや４８Ｖであってもよい。）であり、１２〜１４Ａ程度の電流を安全に供給可能なようにヒューズ等の安全装置を備えている。
【００１４】
発熱体１２は、電源ユニット１１から電源を供給され、フレミングの法則に従って磁界を発生し、その特性が内部抵抗によって差異の生じないものであり、例えば、ゲルマヒーター等の高効率の発熱体が好ましい。
【００１５】
本体コントローラ１３は、入力電源電圧がＤＣ１２Ｖ、発生周波数帯域が可聴域周波数の２０Ｈｚ〜２０ｋＨｚであり、発熱体１２への電源電圧にこの可聴域周波数を混入する周波数混入部（音源）と、混入周波数（音源）を保存するための内部メモリ（ＭＭＣ）と、外部からのメンテナンス用として基板上に設置されたＵＳＢコネクタとを備えている。
【００１６】
また、本体コントローラ１３は、図２に示すように、操作パネル１４を備えており、操作パネル１４には、電源操作部１５及びそのランプ１６と、磁場振動発生出力（発熱体１２の温度）をプラス又はプラスマイナスで０〜３Ｖの範囲に調整するための磁場振動調整部１７及びそのランプ群１８と、磁場振動発生の基本動作を行なうための周波数混入部の再生、停止、リピートの各操作部１９及びそのランプ群２０と、付加される磁場振動発生出力の合計が発熱体１２の許容範囲を超えないようにＤＣ３〜１２Ｖの範囲に磁場の発生を調整するための出力調整操作部２１及びそのランプ群２２と、３０分〜１２時間の範囲で３０分単位に時間を設定するためのタイマー設定部２３及びその表示部２４とがそれぞれ配設されている。
【００１７】
次に、本発明の実施の形態に係る磁場振動発生装置１０の作用について説明する。
【００１８】
図２はこの磁場振動発生装置１０の作用を示すフローチャートであり、ステップＳ１０１において、先ず、操作パネル１４の背面側の主電源スイッチ（図示省略）をＯＮにし、ステンプＳ１０２において、電源操作部１５をＯＮにすると、ランプ１６が点灯し、タイマー表示部２４に「００」が表示され、各操作部１７，１９，２１，２３が操作可能な状態となる。
【００１９】
次いで、ステップＳ１０３において、磁場振動調整部１７を操作して電源電圧に混入させる周波数を設定すると共に出力調整操作部２１を操作して磁場振動発生出力を設定し、さらに必要に応じてタイマー設定部２３を操作して動作時間を設定した上で、再生操作部１９を操作し、磁場振動発生装置１０を稼動させる。
【００２０】
図４〜図７は、水を入れたコップを発熱体１２の上に置き、設定周波数をそれぞれ変化させ、水の酸化還元電位（ＯＲＰ）及び水の温度の変化を測定した実験結果を示す図であり、図４は設定周波数が１００００Ｈｚの場合、図５は設定周波数が９５００Ｈｚの場合、図６は設定周波数が５５００Ｈｚの場合、図７は音源としてモーツアルトバイオリン協奏曲４・５番を使用した場合の実験結果をそれぞれ示している。これらの実験結果から、図４〜図７のすべてのケースにおいて、時間の経過と共に酸化還元電位が減少し、一定の還元効果を得られることが分かる。
【００２１】
その後、タイマー設定部２３により設定した動作時間が経過すると（ステップＳ１０４）、タイマーがＯＦＦになり（ステップＳ１０５）、主電源がＯＦＦにされる（ステップＳ１０６）。なお、リピート操作部１９が操作されている場合には、タイマー設定部２３から設定した動作時間が経過しても磁場振動発生装置１０の動作は停止されない。
【００２２】
このように上記した実施の形態に係る磁場振動発生装置１０によれば、直流電源を使用しているため、人体に有害なレベルの電磁波を発生することがない。また、人体の内臓や体内の水分等、人体内部に発生した磁場を消去することができ、基礎代謝及び免疫力の向上を図ることができる。
【００２３】
これは、例えば、本来磁性を帯びないテープデッキのヘッドが長時間の使用により微弱な磁性を帯び、再生される音質が劣化した場合に、ヘッドイレーサー（消磁装置）を使用して磁性を消去することで高品位の音質を保持することができるのと同じ様な反応が人体内部で起こっていると言うことができるが、血流が病態や体質等において人体間で差がある点において人体はテープデッキのヘッドと異なるため、発熱体１２を適温まで上昇させることにより上記した消磁効果（還元効果）の効率を高めることができる。
【００２４】
また、図７に示す実験結果からの明らかなように、上記した実施の形態に係る磁場振動発生装置１０によれば、音楽療法の効果も期待することができる。
【図面の簡単な説明】
【００２５】
【図１】本発明の実施の形態に係る磁場振動発生装置の概略構成を示す模式図である。
【図２】本発明の実施の形態に係る磁場振動発生装置の本体コントローラの操作パネルを示す平面図である。
【図３】本発明の実施の形態に係る磁場振動発生装置の作用を示すフローチャートである。
【図４】本発明の実施の形態に係る磁場振動発生装置の効果を示す図である。
【図５】本発明の実施の形態に係る磁場振動発生装置の効果を示す図である。
【図６】本発明の実施の形態に係る磁場振動発生装置の効果を示す図である。
【図７】本発明の実施の形態に係る磁場振動発生装置の効果を示す図である。
【符号の説明】
【００２６】
１０          磁場振動発生装置
１２          発熱体（磁場発生手段）
１３          本体コントローラ（周波数混入手段）
【図１】
2009142514.tif 000003
【図２】
2009142514.tif 000004
【図３】
2009142514.tif 000005
【図４】
2009142514.tif 000006
【図５】
2009142514.tif 000007
【図６】
2009142514.tif 000008
【図７】
2009142514.tif 000009